(57)【要約】  頂部開放端および底部閉鎖端を備えた管状本体を含むバッグが開示されている。前記管状本体は、前記開放端により大きい開放径を有する。前記管状本体は、底部閉鎖端に隣接したより狭い開放径に狭小化する。扁平２つ折り状態の前記管状本体は、頂縁から底縁まで延びる１対の側縁を有する。前記頂縁は、前記頂部開放端を画定する。前記底縁は、前記底部閉鎖端を画定する。前記１対の側縁は、前記頂縁に隣接した第１の部分で互いに略平行である。【選択図】図８
2021500284.tif 000002
【特許請求の範囲】
【請求項１】
頂部開放端および底部閉鎖端を備えた管状本体を含むバッグであって、
前記管状本体は、前記開放端により大きい開放径を有し、前記管状本体は、底部閉鎖端に隣接したより狭い開放径に狭小化し、
扁平２つ折り状態の前記管状本体は、頂縁から底縁まで延びる１対の側縁を有し、前記頂縁は、前記頂部開放端を画定し、前記底縁は、前記底部閉鎖端を画定し、
前記１対の側縁は、前記頂縁に隣接した第１の部分で互いに略平行である、バッグ。
【請求項２】
前記１対の側縁は、前記底縁に隣接した第２の部分で互いに略平行である、請求項１に記載のバッグ。
【請求項３】
前記１対の側縁は、前記第１の部分から前記第２の部分までテーパ部を形成する、請求項２に記載のバッグ。
【請求項４】
前記テーパ部および前記第２の部分に狭小化を生じさせる少なくとも１つの溶接シームをさらに含む、請求項１に記載のバッグ。
【請求項５】
１対の前記少なくとも１つの溶接シームが、前記テーパ部および前記第２の部分に狭小化を生じさせる、請求項４に記載のバッグ。
【請求項６】
前記溶接シームに隣接した切り取り部をさらに含む、請求項４に記載のバッグ。
【請求項７】
前記テーパ部および前記第２の部分に狭小化を生じさせる少なくとも１つの溶接シームをさらに含む、請求項１に記載のバッグ。
【請求項８】
１対の前記少なくとも１つの溶接シームが、前記テーパ部および前記第２の部分に狭小化を生じさせる、請求項７に記載のバッグ。
【請求項９】
前記少なくとも１つの溶接シームに隣接したフラップをさらに含み、前記フラップは、前記開放端から除外されている、請求項７に記載のバッグ。
【請求項１０】
前記管状本体は、少なくとも２つのフィルム層でできている、請求項１に記載のバッグ。
【請求項１１】
前記層の少なくとも１つは、エチレンビニルアルコールである、請求項１０に記載のバッグ。
【請求項１２】
前記層の少なくとも１つは、ポリエチレン、バイオプラスチック、ポリ乳酸、デンプンベース、植物ベースの少なくとも１つでできている、請求項１０に記載のバッグ。
【請求項１３】
扁平２つ折り状態の前記頂縁は、正弦波形を有する、請求項１に記載のバッグ。
【請求項１４】
扁平２つ折り状態の前記底縁は、正弦波形を有する、請求項１に記載のバッグ。
【請求項１５】
前記バッグは、処理ユニットの管状バッグ支持体に吊り下げられるように構成されており、前記管状バッグユニットは、内周ＣSおよび壁厚Ｔを有し、開放径Ｄは、
2021500284.tif 000017
に従う、請求項１に記載のバッグ。
【請求項１６】
より大きな開放径の扁平２つ折り幅ＷＡとより狭い開放径の間の関係は、
2021500284.tif 000018
と表される、請求項１に記載のバッグ。
【請求項１７】
前記バッグは、処理ユニットの管状バッグ支持体に吊り下げられるように構成されており、前記管状バッグ支持体は、外周Ｃoを有し、前記バッグは、
2021500284.tif 000019
に従うより大きい開放径の扁平２つ折り幅ＷＡを有する、請求項１に記載のバッグ。
【請求項１８】
前記バッグは、処理ユニットの管状バッグ支持体に吊り下げられるように構成されており、前記管状バッグ支持体は、内周Ｃoをおよび壁厚Ｔを有し、前記バッグは、
2021500284.tif 000020
に従うより大きい開放径の扁平２つ折り幅ＷＡを有する、請求項１に記載のバッグ。
【請求項１９】
請求項１〜１８のいずれか１項に記載のバッグを複数含むバッグロールであって、前記バッグは、バッグロールのバッグの第１のバッグの底縁からバッグロールのバッグの第２のバッグの頂縁まで端と端で連結されている、バッグロール。
【請求項２０】
前記バッグロールは、カセット本体のリセプタクルにあり、前記バッグロールの自由端は、前記リセプタクルに設けられた頂部開口部から前記カセット本体を出る、請求項１９に記載のバッグロール。
【請求項２１】
処理ユニットの管状バッグ支持体に吊り下げられるためのバッグロールであって、前記管状バッグ支持体は、内周ＣSおよび壁厚Ｔを有し、前記バッグロールは、底部から頂部まで端と端で連結された複数のバッグを含み、前記バッグの各々は、
2021500284.tif 000021
に従う開放径Ｄを有する、バッグロール。
【請求項２２】
前記バッグは、溶接シーム、および、前記バッグの各々の底縁に設けられた引き裂きラインによって分離される連続管状本体でできている、請求項２１に記載のバッグロール。
【請求項２３】
前記管状本体は、少なくとも２つのフィルム層でできている、請求項２２に記載のバッグロール。
【請求項２４】
前記層の少なくとも１つは、エチレンビニルアルコールである、請求項２３に記載のバッグ。
【請求項２５】
前記層の少なくとも１つは、ポリエチレン、バイオプラスチック、ポリ乳酸、デンプンベース、植物ベースの少なくとも１つでできている、請求項２３に記載のバッグ。
【請求項２６】
扁平２つ折り状態の前記バッグの各々の頂縁は、正弦波形を有する、請求項２１に記載のバッグ。
【請求項２７】
扁平２つ折り状態の前記バッグの各々の底縁は、正弦波形を有する、請求項２１に記載のバッグ。
【請求項２８】
底部から頂部まで端と端で連結された複数のバッグを含むバッグロールであって、前記複数のバッグは、頂部開放端に隣接したより大きいセクション、および、底部閉鎖端に隣接したより狭いセクションを有し、前記より大きいセクションの扁平２つ折り幅ＷＡと前記より狭いセクションの扁平２つ折り幅ＷＣの間の関係が、
2021500284.tif 000022
と表される、バッグロール。
【請求項２９】
前記バッグは、溶接シーム、および、前記バッグの各々の底縁に設けられた引き裂きラインによって分離される連続管状本体でできている、請求項２８に記載のバッグロール。
【請求項３０】
前記管状本体は、少なくとも２つのフィルム層でできている、請求項２９に記載のバッグロール。
【請求項３１】
前記層の少なくとも１つは、エチレンビニルアルコールである、請求項３０に記載のバッグ。
【請求項３２】
前記層の少なくとも１つは、ポリエチレン、バイオプラスチック、ポリ乳酸、デンプンベース、植物ベースの少なくとも１つでできている、請求項３０に記載のバッグ。
【請求項３３】
扁平２つ折り状態の前記バッグの各々の頂縁は、正弦波形を有する、請求項２８に記載のバッグ。
【請求項３４】
扁平２つ折り状態の前記バッグの各々の底縁は、正弦波形を有する、請求項２８に記載のバッグ。
【請求項３５】
処理ユニットの管状バッグ支持体に吊り下げられるためのバッグロールであって、前記管状バッグ支持体は、外周Ｃoを有し、前記バッグロールは、
底部から頂部まで端と端で連結された複数のバッグを含み、前記バッグの各々は、少なくとも前記バッグの頂部開放端に隣接し、
2021500284.tif 000023
に従う扁平２つ折り幅ＷＡを有する、バッグロール。
【請求項３６】
前記バッグは、溶接シーム、および、前記バッグの各々の底縁に設けられた引き裂きラインによって分離される連続管状本体でできている、請求項３５に記載のバッグロール。
【請求項３７】
前記管状本体は、少なくとも２つのフィルム層でできている、請求項３６に記載のバッグロール。
【請求項３８】
前記層の少なくとも１つは、エチレンビニルアルコールである、請求項３７に記載のバッグ。
【請求項３９】
前記層の少なくとも１つは、ポリエチレン、バイオプラスチック、ポリ乳酸、デンプンベース、植物ベースの少なくとも１つでできている、請求項３７に記載のバッグ。
【請求項４０】
扁平２つ折り状態の前記バッグの各々の頂縁は、正弦波形を有する、請求項３５に記載のバッグ。
【請求項４１】
扁平２つ折り状態の前記バッグの各々の底縁は、正弦波形を有する、請求項３５に記載のバッグ。
【請求項４２】
処理ユニットの管状バッグ支持体に吊り下げられるためのバッグロールであって、前記管状バッグ支持体は、内周ＣSおよび壁厚Ｔを有し、前記バッグロールは、
底部から頂部まで端と端で連結された複数のバッグを含み、前記バッグの各々は、
2021500284.tif 000024
に従う扁平２つ折り幅ＷＡ備えた少なくとも頂部開放端を有する、バッグロール。
【請求項４３】
前記バッグは、溶接シーム、および、前記バッグの各々の底縁に設けられた引き裂きラインによって分離される連続管状本体でできている、請求項４２に記載のバッグロール。
【請求項４４】
前記管状本体は、少なくとも２つのフィルム層でできている、請求項４３に記載のバッグロール。
【請求項４５】
前記層の少なくとも１つは、エチレンビニルアルコールである、請求項４４に記載のバッグ。
【請求項４６】
前記層の少なくとも１つは、ポリエチレン、バイオプラスチック、ポリ乳酸、デンプンベース、植物ベースの少なくとも１つでできている、請求項４４に記載のバッグ。
【請求項４７】
扁平２つ折り状態の前記バッグの各々の頂縁は、正弦波形を有する、請求項４２に記載のバッグ。
【請求項４８】
扁平２つ折り状態の前記バッグの各々の底縁は、正弦波形を有する、請求項４２に記載のバッグ。
【発明の詳細な説明】
【技術分野】
【０００１】
関連出願に対する相互参照
本願は、２０１７年１０月２６日に出願され、出典を明示することにより本願の一部とされる米国特許出願第62/577,469号、および、２０１８年９月２０日に出願され、出典を明示することにより本願の一部とされる米国特許出願第62/734,014号の優先権を主張する。
【０００２】
本発明は、ごみ箱、ペール缶、コンポスト容器等のような廃棄物処理ユニットで使用されるバッグロールに関する。
【背景技術】
【０００３】
ごみ箱、ペール缶、コンポスト容器、リサイクル容器のような処理ユニットが、バッグを支持するように在来的に構成されている。便宜および費用効果的包装のために、バッグは、通常、バッグが次々に相互連結されているバッグロールの一部である。特定の構成では、バッグロールは、ペール缶またはワイヤーラックの底部に貯蔵されており、バッグロールの自由端が、持ち上げられて、ペール缶またはワイヤーラックの頂端で開放して支持されている。したがって、バッグが、廃棄物、或いは他のアイテムで一杯なときに、充填されたバッグは、取り出されて、廃棄物を受け入れるように展開されたバッグロールの次のバッグに置き換えられる。しかしながら、バッグは、廃棄物で充填されているので、バッグは容積が増大し、特に充填されたバッグがペール缶から上向きに引き出されなければならない場合には、ペール缶またはワイヤーラックから取り出すことが難しいことがある。
【発明の概要】
【発明が解決しようとする課題】
【０００４】
本開示の目的は、新規なバッグロールを提供することである。
【課題を解決するための手段】
【０００５】
本開示の第１の実施形態によれば、頂部開放端および底部閉鎖端を備えた管状本体を含むバッグであって、前記管状本体は、前記開放端により大きい開放径を有し、前記管状本体は、底部閉鎖端に隣接したより狭い開放径に狭小化し、扁平２つ折り状態の前記管状本体は、頂縁から底縁まで延びる１対の側縁を有し、前記頂縁は、前記頂部開放端を画定し、前記底縁は、前記底部閉鎖端を画定し、前記１対の側縁は、前記頂縁に隣接した第１の部分で互いに略平行である、バッグが提供される。
【０００６】
さらに、第１の実施形態によれば、例えば、前記１対の側縁は、前記底縁に隣接した第２の部分で互いに略平行である。
【０００７】
なおさらに、第１の実施形態によれば、例えば、前記１対の側縁は、前記第１の部分から前記第２の部分までテーパ部を形成する。
【０００８】
なおさらに、第１の実施形態によれば、例えば、前記テーパ部および前記第２の部分に狭小化を生じさせる少なくとも１つの溶接シームをさらに含む。
【０００９】
なおさらに、第１の実施形態によれば、例えば、１対の前記少なくとも１つの溶接シームが、前記テーパ部および前記第２の部分に狭小化を生じさせる。
【００１０】
なおさらに、第１の実施形態によれば、例えば、前記溶接シームに隣接した切り取り部をさらに含む。
【００１１】
なおさらに、第１の実施形態によれば、例えば、前記テーパ部および前記第２の部分に狭小化を生じさせる少なくとも１つの溶接シームをさらに含む。
【００１２】
なおさらに、第１の実施形態によれば、例えば、１対の前記少なくとも１つの溶接シームが、前記テーパ部および前記第２の部分に狭小化を生じさせる。
【００１３】
なおさらに、第１の実施形態によれば、例えば、前記少なくとも１つの溶接シームに隣接したフラップをさらに含み、前記フラップは、前記開放端から除外されている。
【００１４】
なおさらに、第１の実施形態によれば、例えば、前記管状本体は、少なくとも２つのフィルム層でできている。
【００１５】
なおさらに、第１の実施形態によれば、例えば、前記層の少なくとも１つは、エチレンビニルアルコールである。
【００１６】
なおさらに、第１の実施形態によれば、例えば、前記層の少なくとも１つは、ポリエチレン、バイオプラスチック、ポリ乳酸、デンプンベース、植物ベースの少なくとも１つでできている。
【００１７】
なおさらに、第１の実施形態によれば、例えば、扁平２つ折り状態の前記頂縁は、正弦波形を有する。
【００１８】
なおさらに、第１の実施形態によれば、例えば、扁平２つ折り状態の前記底縁は、正弦波形を有する。
【００１９】
なおさらに、第１の実施形態によれば、例えば、前記バッグは、処理ユニットの管状バッグ支持体に吊り下げられるように構成されており、前記管状バッグユニットは、内周Ｃsおよび壁厚Ｔを有し、開放径Ｄは、
2021500284.tif 000003
に従う。
【００２０】
なおさらに、第１の実施形態によれば、例えば、より大きい開放径の扁平２つ折り幅ＷＡとより狭い開放径の間の関係は、
2021500284.tif 000004
と表される。
【００２１】
なおさらに、第１の実施形態によれば、例えば、前記バッグは、処理ユニットの管状バッグ支持体に吊り下げられるように構成されており、前記管状バッグ支持体は、外周Ｃoを有し、前記バッグは、
2021500284.tif 000005
に従うより大きい開放径の扁平２つ折り幅ＷＡを有する。
【００２２】
なおさらに、第１の実施形態によれば、例えば、前記バッグは、処理ユニットの管状バッグ支持体に吊り下げられるように構成されており、前記管状バッグ支持体は、内周Ｃsをおよび壁厚Ｔを有し、前記バッグは、
2021500284.tif 000006
に従うより大きい開放径の扁平２つ折り幅ＷＡを有する。
【００２３】
本開示の第２の実施形態によれば、第１の実施形態によるバッグを複数含むバッグロールであって、前記バッグは、バッグロールのバッグの第１のバッグの底縁からバッグロールのバッグの第２のバッグの頂縁まで端と端で連結されている、バッグロールが提供される。
【００２４】
さらに、第２の実施形態によれば、例えば、前記バッグロールは、カセット本体のリセプタクルにあり、前記バッグロールの自由端は、前記リセプタクルに設けられた頂部開口部から前記カセット本体を出る。
【００２５】
本開示の第３の実施形態によれば、処理ユニットの管状バッグ支持体に吊り下げられるためのバッグロールであって、前記管状バッグ支持体は、内周ＣSおよび壁厚Ｔを有し、前記バッグロールは、底部から頂部まで端と端で連結された複数のバッグを含み、前記バッグの各々は、
2021500284.tif 000007
に従う開放径Ｄを有する、バッグロールが提供される。
【００２６】
さらに、第３の実施形態によれば、例えば、前記バッグは、溶接シーム、および、前記バッグの各々の底縁に設けられた引き裂きラインによって分離される連続管状本体でできている。
【００２７】
なおさらに、第３の実施形態によれば、例えば、前記管状本体は、少なくとも２つのフィルム層でできている。
【００２８】
なおさらに、第３の実施形態によれば、例えば、前記層の少なくとも１つは、エチレンビニルアルコールである。
【００２９】
なおさらに、第３の実施形態によれば、例えば、前記層の少なくとも１つは、ポリエチレン、バイオプラスチック、ポリ乳酸、デンプンベース、植物ベースの少なくとも１つでできている。
【００３０】
なおさらに、第３の実施形態によれば、例えば、扁平２つ折り状態の前記バッグの各々の頂縁は、正弦波形を有する。
【００３１】
なおさらに、第３の実施形態によれば、例えば、扁平２つ折り状態の前記バッグの各々の底縁は、正弦波形を有する。
【００３２】
本開示の第４の実施形態によれば、底部から頂部まで端と端で連結された複数のバッグを含むバッグロールであって、前記複数のバッグは、頂部開放端に隣接したより大きいセクションと、底部閉鎖端に隣接したより狭いセクションを有し、前記より大きいセクションの扁平２つ折り幅ＷＡと前記より狭いセクションの扁平２つ折り幅ＷＣの間の関係が、
2021500284.tif 000008
と表される、バッグロールが提供される。
【００３３】
さらに、第４の実施形態によれば、例えば、前記バッグは、溶接シーム、および、前記バッグの各々の底縁に設けられた引き裂きラインによって分離される連続管状本体でできている。
【００３４】
なおさらに、第４の実施形態によれば、例えば、前記管状本体は、少なくとも２つのフィルム層でできている、請求項２９に記載のバッグロール。
【００３５】
なおさらに、第４の実施形態によれば、例えば、前記層の少なくとも１つは、エチレンビニルアルコールである。
【００３６】
なおさらに、第４の実施形態によれば、例えば、前記層の少なくとも１つは、ポリエチレン、バイオプラスチック、ポリ乳酸、デンプンベース、植物ベースの少なくとも１つでできている。
【００３７】
なおさらに、第４の実施形態によれば、例えば、扁平２つ折り状態の前記バッグの各々の頂縁は、正弦波形を有する、請求項２８に記載のバッグ。
【００３８】
なおさらに、第４の実施形態によれば、例えば、扁平２つ折り状態の前記バッグの各々の底縁は、正弦波形を有する。
【００３９】
本開示の第５の実施形態によれば、処理ユニットの管状バッグ支持体に吊り下げられるためのバッグロールであって、前記管状バッグ支持体は、外周Ｃoを有し、前記バッグロールは、底部から頂部まで端と端で連結された複数のバッグを含み、前記バッグの各々は、少なくとも前記バッグの頂部開放端に隣接し、
2021500284.tif 000009
に従う扁平２つ折り幅ＷＡを有する、バッグロールが提供される。
【００４０】
さらに、第５の実施形態によれば、例えば、前記バッグは、溶接シーム、および、前記バッグの各々の底縁に設けられた引き裂きラインによって分離される連続管状本体でできている。
【００４１】
なおさらに、第５の実施形態によれば、例えば、前記管状本体は、少なくとも２つのフィルム層でできている、請求項３６に記載のバッグロール。
【００４２】
なおさらに、第５の実施形態によれば、例えば、前記層の少なくとも１つは、エチレンビニルアルコールである。
【００４３】
なおさらに、第５の実施形態によれば、例えば、前記層の少なくとも１つは、ポリエチレン、バイオプラスチック、ポリ乳酸、デンプンベース、植物ベースの少なくとも１つでできている、請求項３７に記載のバッグ。
【００４４】
なおさらに、第５の実施形態によれば、例えば、扁平２つ折り状態の前記バッグの各々の頂縁は、正弦波形を有する。
【００４５】
なおさらに、第５の実施形態によれば、例えば、扁平２つ折り状態の前記バッグの各々の底縁は、正弦波形を有する。
【００４６】
本開示の第６の実施形態によれば、処理ユニットの管状バッグ支持体に吊り下げられるためのバッグロールであって、前記管状バッグ支持体は、内周ＣSおよび壁厚Ｔを有し、前記バッグロールは、底部から頂部まで端と端で連結された複数のバッグを含み、前記バッグの各々は、
2021500284.tif 000010
に従う扁平２つ折り幅ＷＡ備えた少なくとも頂部開放端を有する、バッグロールが提供される。
【００４７】
さらに、第６の実施形態によれば、例えば、前記バッグは、溶接シーム、および、前記バッグの各々の底縁に設けられた引き裂きラインによって分離される連続管状本体でできている。
【００４８】
なおさらに、第６の実施形態によれば、例えば、前記管状本体は、少なくとも２つのフィルム層でできている。
【００４９】
なおさらに、第６の実施形態によれば、例えば、前記層の少なくとも１つは、エチレンビニルアルコールである。
【００５０】
なおさらに、第６の実施形態によれば、例えば、前記層の少なくとも１つは、ポリエチレン、バイオプラスチック、ポリ乳酸、デンプンベース、植物ベースの少なくとも１つでできている。
【００５１】
なおさらに、第６の実施形態によれば、例えば、扁平２つ折り状態の前記バッグの各々の頂縁は、正弦波形を有する。
【００５２】
なおさらに、第６の実施形態によれば、例えば、扁平２つ折り状態の前記バッグの各々の底縁は、正弦波形を有する。
【図面の簡単な説明】
【００５３】
【図１】本開示の一実施形態によるバッグロールの斜視図である。
【図２】バッグがバッグロールから取り外されている、図１のバッグロールの斜視図である。
【図３】例えば、図１のバッグロールを含む、本開示によるバッグロールカセットの斜視図である。
【図４】分解された廃棄物処理ユニット中の図３のバッグロールカセットの斜視図である。
【図５】図４のバッグロールカセットおよび廃棄物処理ユニットの断面図である。
【図６】（Ａ）−（Ｃ）は、図１のバッグロールの頂縁アウトラインの平面図である。
【図７】本開示のもう１つの実施形態によるバッグロールのバッグの斜視図である。
【図８】本開示のもう１つの実施形態によるバッグロールの斜視図である。
【図９】本開示のもう１つの実施形態によるバッグロールの斜視図である。
【発明を実施するための形態】
【００５４】
図面、さらに詳しくは、図１−図３を参照すると、バッグロールカセットが、全体的に１０（図３）で示されている。バッグロールカセット１０は、管３０上に巻かれ、カセット本体４０（図３）内に挿入されているバッグロール２０を有するのがよい。本開示によるバッグロール２０は、管３０および／またはカセット本体４０と一緒であっても、一緒でなくてもよい。
【００５５】
バッグロール２０は、図１および図２により詳細に示されている。バッグロール２０は、プラスチック材料のフィルムで作られているのがよい。例えば、考えられている使用に応じて、プラスチック材料は、２〜３の可能な材料を挙げると、ポリエチレン(LDPE, LLDPE, またはHDPE)、バイオプラスチック、ポリ乳酸のようなプラスチックであるのがよい。フィルムが匂いバリアを形成するために、プラスチックフィルムに、エチレンビニルアルコールのような機能層を付加することも考えられ、或いは、バッグを補強するためにナイロン層を付加することも考えられる。フィルムはまた、デンプン系または植物系材料のような生分解性および／または堆肥可能化材料であってもよい。
【００５６】
バッグロール２０は、溶接ライン、および、２０′、２０´′等として示されているような端と端が相互連結された複数のバッグを画定するミシン目を備えた、管状フィルムの長さの形態であるのがよい。管状フィルムは、ジグザグ状パターン等でロール上に蓄積されるのがよい。その結果、バッグロール２０は、互いの上に横たわり、側縁２２で接合された１対のパネル２１を有するけれども、フィルムの薄さの故に、図１および図２にあるように連続シートとして現れる。一実施形態では、これは、バッグの扁平２つ折り状態と呼ばれ、バッグは、２つの折り目、すなわち、各側縁２２に１つずつの折り目を有し、ガセットを有しない。バッグロール２０のバッグは、本発明によればガセットを有することもできるけれども、バッグの横方向寸法形状は、本願では扁平２つ折り状態にあるとして記載されることができる。これは、たとえバッグロール２０がガセットを有したとしても、寸法形状は、バッグがあたかも扁平２つ折り状態にあるかのようにバッグの横方向寸法形状のためのものであることを意味するものとして解釈されることができる。たとえ本願に記載されているバッグが２つ折り状態で（バッグはさらに多くの折りを有してもよい、例えば、自身の上に折り畳まれてもよい）包装されておらず、或いは販売されていなくても、扁平２つ折り状態は、バッグが頂縁と底縁の間に２つの横方向折り−２つの側縁−を有するように面上に平らに横たわっている状態にある。さらに、バッグは、引き伸ばされていないものとして言及される。これは、いくつかの弾性変形または塑性変形を必要とし得る、処理ユニット上にバッグを設置する前にユーザーにバッグを取り扱わせる前のバッグロール２０上の初期状態にバッグがあることを意味するものと解釈されることができる。バッグロール２０上の初期状態のバッグは、製造に際して可塑的に引き伸ばされることができたけれども、かかる引き伸ばし状態にもかかわらず、バッグロール２０上のバッグの状態は、引き伸ばされていないと呼ばれる。
【００５７】
各バッグの側縁２２は、バッグ２０′のような各バッグの頂縁２３から底縁２４まで延びている。バッグロール２０の端と端の連結では、バッグは、隣接するバッグの底縁または頂縁が相互連結されるバッグロールとは対照的に、バッグロール２０の先行バッグの底縁２４が後行バッグの頂縁２３に連結されるように相互連結される。側縁２２は、各々が頂縁２３に隣接した真っ直ぐなセグメント２２Ａ、テーパするセグメント２２Ｂ、および、もう１つの真っ直ぐなセグメント２２Ｃを含むのがよいアウトラインを有するものとして示されている。真っ直ぐなセグメント２２Ｃは、テーパするセグメント２２Ｂからバッグの底縁２４まで延びている。名前「真っ直ぐな」は、セグメント２２Ｃのために使用されているけれども、側縁は、ＷＣの最大形状寸法からテーパしているのがよい。表現「真っ直ぐなセグメント２２Ｃ」は、本願では、制限しない仕方で差別化の目的のために使用されている。したがって、バッグは、３つの異なる別個のセクション、すなわち、バッグ２０′のようなバッグの頂部から底部まで、より大きなフック掛けセクション２０Ａ、テーパするセクション２０Ｂ、および、より狭い処理セクション２０Ｃを有するのがよい。一実施形態では、バッグは、テーパするセクション２２Ｂなしであり、かくして、より大きなフック掛けセクション２２Ａからより狭い処理セクション２２Ｃに直接移行する。真っ直ぐなセクション２２Ａは、互いに平行であるように示されているけれども、底縁２４に向かってテーパするのがよい。同様に、真っ直ぐなセクション２２Ｃは、互いに平行であるように示されているけれども、底縁２４に向かってテーパするのがよい。さらにもう１つの実施形態では、側縁２２は、連続角度で、或いは、２つの異なる、すなわち、セクション２０Ｂなしで、１つはセクション２０Ａのための、もう１つはセクション２０Ｃのための角度で、頂縁２３から底縁２４まで連続的にテーパするのがよい。もう１つの実施形態では、バッグ２０′（ロール２０の一部であろうとなかろうと）は、互いに平行な、或いは準平行であり、次いでより大きなフック掛けセクション２０Ａを越えてテーパする真っ直ぐなセグメント２２Ａを有する。さらにもう１つの実施形態では、バッグロール２０のバッグは、図７に示すように、一定の幅を有して、頂縁２３から底縁２４まで真っ直ぐであるのがよい。明確化のために、本願で記載されている幅は、図１に示されているような平らな幅であり、すなわち、ロールのバッグが、パネル２１が同一平面上にあるようにして扁平２つ折り状態にある。より大きなフック掛けセクション２０Ａは、より狭い処理セクション２０Ｃの幅ＷＣよりも大きい幅ＷＡを有する、すなわち、ＷＡ＞ＷＣ。セグメント２２Ａおよび２２Ｃが、図１および図２にあるように平行である場合には、幅ＷＡおよびＷＣは、それぞれ、セクション２２Ａおよび２２Ｃのほとんどまたはすべてに亘って一定であるのがよい。セグメント２２Ａおよび２２Ｃが、底縁２４に向かってテーパする場合には、より大きなフック掛けセクション２０Ａは、より狭いセクション２０Ｃの最大幅ＷＣよりも大きい最小幅ＷＡを有する。例えば、幅比は、以下のとおりである：０．
2021500284.tif 000011
【００５８】
バッグ２０Ａのようなバッグは、それぞれ、セクション２０Ａ、２０Ｂ、および、２０Ｃの高さを代表するように、セクションＬＡ、ＬＢ、および、ＬＣとして区分されることができる長さＬを有する。一実施形態によれば、ＬＣは、ＬＡの長さの少なくとも２倍である、すなわち、ＬＣ＞２ＬＡ。テーパするセクション２２Ｂを含むもう１つの実施形態によれば、ＬＣは、ＬＡとＬＢの組み合わせの長さの少なくとも２倍である、すなわち、ＬＣ＞２（ＬＡ＋ＬＢ）。ＬＡは、頂縁２３が以下に詳細に説明するように凹部または凸部を構成する場合には、ＬＡ１とＬＡ２に分離されることができる。ＬＡ２は、かかる凹部または凸部の下方のセクション２０Ａの部分である。
【００５９】
なお図１および図６（Ａ）−（Ｃ）を参照すると、頂縁２３は、異なるアウトラインを有する。図１では、頂縁２３のアウトラインは、凹形正弦波セグメントである。他のアウトラインが、（Ａ）真っ直ぐなセグメント、（Ｂ）凸形正弦波セグメント、（Ｃ）凹形三角形波セグメントのように、図６（Ａ）−（Ｃ）に示されている。ロール２０のバッグは、図１にあるように、１対の重ねられたパネル２１であるので、パネル２１が、頂縁２３でバッグを開放するために互いから分離されるときに、図１および図６（Ａ）−（Ｃ）の真っ直ぐでないアウトラインは、各々１対のフラップを形成し、１対のフラップは、バッグを閉鎖させて取り付けるための結び目を形成するために使用されることができる。バッグは、上述したように、隣接したバッグが、底部が頂部に連結されて、バッグロール２０で端と端が相互連結されるので、底縁２４は、頂縁２３と相補的な形状を有する。異なるように記述すると、頂縁２３のアウトラインが凹形正弦波形である場合には、底縁２４は、凸形正弦波形等である。
【００６０】
側縁２２に上記の形状を与えるために、連続シーム２５が、パネル２１を横方向に連結するために側縁２２の一方から他方に延びるのがよい。この連続シーム２５は、バッグ２０′、２０′′等の底部閉鎖端を構成する部分を含む。代替的には、バッグは、別個の溶接シーム２５、すなわち、側縁のための溶接シーム、および、底部閉鎖端のための溶接シームを有してもよい。簡単化のために、表現「溶接シーム２５は、複数形で使用されているが、例えば、Ｕ字形状の、単数連続シーム２５があってもよい。溶接シーム２５はまた、底縁２４、すなわち、バッグロール２０の閉鎖底部端を構成するためにパネル２１を連結してもよい。図１では、溶接シーム２５はより大きなフック掛けセクション２０Ａに終端しているけれども、溶接シーム２５はまた、頂縁２３まで延びていてもよい。図１の実施形態では、より大きなフック掛けセクション２０Ａの真っ直ぐなセグメント２２Ａは、扁平２つ折り状態のために上述したように、管状フィルムの２つの折りである。したがって、一実施形態によれば、溶接シーム２５は、扁平２つ折り状態で−真っ直ぐな連続チューブ−連続管状本体で周期的に作られており、溶接シーム２５の横方向外側のフィルムの部分は、図１の形状を構成するように切り取られているのがよい。
【００６１】
ミシン目ライン２６が、２０′のような先行バッグである第１のバッグの底縁２４と、２０′′のような後行バッグであるバッグロール２０の次のバッグの頂縁２３との間の接合部に穿孔されている。底縁２３および頂縁２４のアウトラインを倣うアウトラインに沿った一連の間隔を隔てて配置された穿孔によって構成されているのがよい。ミシン目２６は、溶接シーム２５に隣接しており、バックロール２０の脆弱部分を形成し、切り裂き動作の結果として、図１および図２の２０′のようなバッグの１つの分離を生じさせる。一実施形態では、ミシン目ライン２６、および、溶接シーム２５の切り取り部は、ダイカットによってなされる。
【００６２】
図３を参照すると、例えば、バッグロール２０は、バッグロール２０からのリセプタクルである、カセット本体４０内に挿入されるのがよい。カセット本体４０は、頂部開口部のような、スリット４１、または同様な開口部を有するのがよく、バッグロール２０の自由端が、スリット４１、または同様な開口部を通して延びている。カセット本体４０は、直方体形状を有するものとして示されているけれども、矩形プリズム、円筒等のような他の形状も考えられる。
【００６３】
今、図４および図５を参照すると、カセット（図４）の一部としての、または、バッグロール２０だけ（図５）、すなわち、カセット本体のないバッグロール２０としてのバッグロール２０は、処理ユニット５０に受け入れられている。表現「処理ユニット(disposal unit)」は、本願では、ごみ箱、おむつペール缶、コンポスト容器、リサイクル容器、ごみペール缶等を包含するものとして使用されている。処理ユニット５０は、ベース５１を有するのがよく、ベース５１上に、直立壁５２が突出している。直立壁５２は、図４では、円筒形管の形態であるが、例えば、正方形セクション、楕円形セクション等を備えた他の形状を有してもよい。示されていないけれども、ヒンジ連結ドアが、処理ユニット５０の内部にアクセスを提供するために、直立壁５２の一部であってよい。迅速連結機構、ファスナ等のような種々の連結構成があってよい。カバー５３が、直立壁５２の頂部に取り付けられている。カバー５３は、下向きに突出するリム５３Ａを有するのがよく、下向きに突出するリム５３Ａは、バッグが、図５にあるように、処理ユニット５０に吊り下げられたままであることを確保するために、バッグと近接するように、或いは接触するようになっているのがよい。さらに、図４に示されているカバー５３の中央開口部は、カバー５３の残りの部分にヒンジ連結されている（蓋としても知られている）トラップドア５４によって閉鎖されるのがよい。トラップドア５４は、処理ユニット５０の内側キャビティ５５への頂部接近部を開放し、或いは閉鎖する。トラップドア５４は、ばねによって付勢されるか、或いは、ペダル機構等によって操作されるのがよい。さらに、示されていないけれども、任意の適当な形態の閉鎖機構（並進、回転）が、バッグを絞り遮蔽するために、内側キャビティ５５に、或いは、処理ユニット５０上の他の位置に設けられているのがよい。
【００６４】
処理ユニット５０は、カバー５３に隣接して管状バッグ支持体５６を有する。一実施形態では、管状バッグ支持体５６は、任意の適当な形状を有してよく、円形横断面を備える円筒形であるものとして示されている。他の可能な横断面形状には、非網羅的に、正方形、矩形、楕円形、正方円形(squrcle)、五角形、六角形、八角形等がある。したがって、管状バッグ支持体５６における表現「管状」は、これらの多数の形状をカバーする。管状バッグ支持体５６は、高さＨs 、内周Ｃs、外周Ｃo、および、壁厚Ｔを有する。図４の実施形態では、管状バッグ支持体５６は、内径Ｄの円形であり、内周Ｃsは、πＤsに等しい。外周Ｃoは、π（Ｄs＋２Ｔ）と表されることができる。もう１つの実施形態では、処理ユニット５０は、バッグ支持体５６として作用する２つまたはそれ以上のフックを有する。図５は、横断面で示される２つの細長い真っ直ぐな、または、湾曲したフック５６として解釈されることができる。
【００６５】
漏斗５７が、処理ユニット５０の直立配向で管状バッグ支持体３６の下方に位置している。漏斗５７は、管状バッグ支持体５６と同じ形状を有するのがよい中央開口部を有する。したがって、図４では、漏斗５７は、周ＣFおよび内径ＤFを有する中央円形開口部を備える截頭円錐形状を有する。漏斗５７の高さは、ＨFをとして示されている。表現されている。一実施形態では、漏斗５７は、管状バッグ支持体５６の直ぐ下方にあり、それによって、管状バッグ支持体５６の頂縁から漏斗５７の中央開口部の縁までの高さは、以下のとおりである：ＨT＝ＨC＋ＨS。一実施形態では、漏斗５７は、管状バッグ支持体５６から間隔を隔てて配置されており、それによって、ＨTは、容器５０の鉛直軸線に沿った間隔の値を含み得る。漏斗５７は、バッグが充填されるときにバッグが概してコンパクトなままであるように、展開されたバッグ内に配置される廃棄物、或いは同様なアイテムを中央に集める。したげって、漏斗５７は、処理ユニット５０の頂部から充填されたバッグを取り出すことを、すなわち、ユーザーが上方に引きだすことによって容易にすることができる。
【００６６】
図４および図５で見られるように、バッグロールカセット１０またはバッグロール２０は、処理ユニット５０の底部に配置される。一実施形態では、バッグロールカセット１０またはバッグロール２０が、ベース５１によって保持されるための連結構成が設けられているけれども、バッグロールカセット１０またはバッグロール２０は、単にベース５１上配置されて、重力によって処理ユニット５０の底部に留まってもよい。バッグロール２０の自由端は、バッグ２０′のより大きなフック掛けセクション２０Ａが管状バッグ支持体５６上に部分的に折り返されるように、上方に延びている。そのようにするに際して、バッグ２０′の開放端は、物体がバッグ２０′内に捨てられるように、開放されて保持される。より狭い処理部分２０Ｃを含むバッグ２０′の残りの部分は、容器５０の内側キャビティ内に延びている。バッグ２０′が管状バッグ支持体５６に取り付けられている間、バッグ２０′は、図４に示されているようにバッグロール２０に連結されたままである。
【００６７】
2021500284.tif 000012
【００６８】
2021500284.tif 000013
【００６９】
一実施形態では、図５にあるように、バッグ２０′のより狭い処理セクション２０Ｃは、漏斗５７の底縁と一直線上に、或いは下方に位置するのが望ましい。実際、より狭い処理セクション２０は、漏斗５７および閉鎖機構（図示せず）の存在にもかかわらず、上向きの引き出しにより充填されたバッグの取り出しを容易にするように構成されている。したがって、ロール２０のバッグは、（ＬＡ＋ＬＢ）＞ＨT＋ＨSに従うのがよい。ロール２０のバッグはまた、図１並びに図６（Ａ）および（Ｂ）のアウトラインを有するバッグの場合には、１．５ＨS＜ＬＡ２＜２ＨSに従うのがよく、その結果、バッグのセクション２０ＡのサブセクションＬＡ２は、ぴんと張られたときに、管状バッグ支持体５６の外周の少なくとも半分を覆う。バッグが図６のアウトラインを有する場合には、ロール２０のバッグはまた、１．５ＨS＜ＬＡ＜２ＨSに従うのがよく、その結果、バッグのセクション２０Ａは、ぴんと張られたときに、管状バッグ支持体５６の外周の少なくとも半分を覆う。
【００７０】
2021500284.tif 000014
の引き伸ばされていない横断方向扁平２つ折り幅ＷＣを有するのがよい。したがって、物体で充填されたときでも、ロール２０のバッグは、頂部から、すなわち、漏斗５７および管状バッグ支持体５６を通して、容器５０から引き出されることができる。そうするのに際して、バッグロール２０の次のバッグは、上向きに引き出され、その頂端は、充填されたバッグが頂部から容器５０を出るときに、管状バッグ支持体５６と略整合する。充填されたバッグは、バッグのロール２０から取り外され、バッグロール２０の次のバッグが、図５に示されている仕方で管状バッグ支持体に吊り下げられる。
【００７１】
バッグロールカセット１０、および／または、バッグロール２０は、図４および図５の処理ユニット５０と同じ構成要素があっても、或いは、なくても、任意の他の処理ユニットで使用されることができることが指摘される。処理ユニット５０は、バッグロールカセット１０、および／または、バッグロール２０と共に使用されるようになった例示的な容器構成として提供されているけれども、なお、処理ユニット５０の変形例が、バッグロールカセット１０、および／または、バッグロール２０と共に使用されることができることは明らかである。
【００７２】
図８を参照すると、バッグロール２０のもう１つの実施形態が示されている。バッグロール２０は、図１のバッグロールと同様であるが、溶接シーム２５の側部に切り取り部はない。したがって、図８にあるように平らに置かれたときに、バッグロール２０のバッグは、一定の幅を有する。例えば、側縁２２は、バッグロール２０からのバッグの全長さで互いに平行である。しかしながら、溶接シーム２５の存在により、例えば、内径に関し、ＷＣにおけるバッグの内側の寸法は、図１の実施形態と同じである。実際、開放バッグは、溶接シーム２５の存在により、内径を有するので、図８のバッグの開放径は、図１のバッグの開放径と同じである。フラップが、溶接シール２５の外部に形成されている。例え
2021500284.tif 000015
ル２０のために上記に提供された記載は、溶接シーム２５における切り取り部を除いて、図８のバッグに拡張される。本願に記載されているすべての実施形態では、図面には２つの側方部分が示されており、なお本願に記載されている狭小部を達成するのに対して、溶接シーム２５に対して単一の側方部分があることがあり得る（すなわち、１つだけが側縁２２に沿って延びている）。図８の、または、すべての図面のバッグ２０′は、単独の、すなわち、バッグロールの一部としてでないユニットとしても現れることができる。
【００７３】
図９を参照すると、バッグロール２０のもう１つの実施形態が示されている。バッグロール２０は、図８のバッグロール２０と同様であるが、溶接シーム２はテーパする部分２０Ｂを形成しない。図９にあるように平らに、すなわち、扁平２つ折り状態に置かれたときに、バッグロール２０のバッグ２０′、２０′′等は、一定の幅を有する。例えば、側縁２２は、バッグロール２０からのバッグの全長さで互いに平行である。しかしながら、溶接シーム２５の存在により、例えば、内径に関し、ＷＣにおけるバッグの内側の寸法は、図１の実施形態と同じである。溶接シーム２５によって形成される段があり、セクションＡとセクションＢの間の移行部で開放径の減少を生じさせる。実際、開放バッグは、溶接シーム２５の存在により内側狭小部を有するので、図９のバッグの開放径は、図１のバ
2021500284.tif 000016
０．９５ＷＡ。図１のバッグロール２０のために上記に提供された記載は、溶接シーム２５における切り取り部を除いて、図９のバッグに拡張される。図９の、または、すべての図面のバッグ２０′は、単独の、すなわち、バッグロールの一部としてでないユニットとしても現れることができる。
【符号の説明】
【００７４】
１０          バッグロールカセット
２０          バッグロール
２０′        バッグ
２０′′      バッグ
２０Ａ        より大きいフック掛けセクション
２０Ｂ        テーパするセクション
２０Ｃ        より狭い処理セクション
２１          パネル
２２          側縁
２２Ａ        真っ直ぐなセグメント
２２Ｂ        テーパするセグメント
２２Ｃ        真っ直ぐなセグメント
２３          頂縁
２４          底縁
２５          溶接シーム
２６          ミシン目ライン
３０          管
４０          カセット本体
４１          スリット
５０          処理ユニット
５１          ベース
５２          直立壁
５３          カバー
５４          トラップドア
５５          内側キャビティ
５６          管状バッグ支持体
５７          漏斗
【図１】
2021500284.tif 000025
【図２】
2021500284.tif 000026
【図３】
2021500284.tif 000027
【図４】
2021500284.tif 000028
【図５】
2021500284.tif 000029
【図６（Ａ）】
2021500284.tif 000030
【図６（Ｂ）】
2021500284.tif 000031
【図６（Ｃ）】
2021500284.tif 000032
【図７】
2021500284.tif 000033
【図８】
2021500284.tif 000034
【図９】
2021500284.tif 000035
【国際調査報告】
2021500284.tif 000036
2021500284.tif 000037
2021500284.tif 000038
2021500284.tif 000039